(57)【特許請求の範囲】
【請求項１】
胴部（４）と底壁部（８）とを有するように有底筒状にインジェクション成形された容器本体（３）を備え、且つ、前記底壁部（８）を破断可能な破断手段（９，１０）が、該底壁部（８）に形成されてなる容器において、前記胴部（４）に、筒状のラベル（１３）が外嵌装着され、しかも、該ラベル（１３）の下端部が、少なくとも前記破断手段（９，１０）を隠すようにして底壁部（８）側に折り曲げられてなることを特徴とする容器。
【請求項２】
前記ラベル（１３）が、熱収縮性ラベルである請求項１記載の容器。
【請求項３】
前記破断手段（９，１０）が、前記底壁部（８）の全周にわたって形成された凹部（９）と、該凹部（９）よりも底壁部（８）の内側に設けられたプルタブ（１０）とからなる請求項１乃至２の何れかに記載の容器。
【発明の詳細な説明】
【０００１】
【発明の属する技術分野】
本発明は、インジェクション成形品からなる容器に関する。
【０００２】
【従来の技術】
従来、カップ状にインジェクション成形された有底筒状の合成樹脂製の容器は、例えば紙製のものに比し剛性を有することから、耐久性等に優れ任意の内容物を収納する場合に非常に便利である。また、容器の底壁部を胴部から分離して該胴部を偏平状に折り畳むことにより、廃棄の際の減容を図ることのできる容器として、特開平１０−３５６３５号公報所載なる容器が公知である。
【０００３】
【発明が解決しようとする課題】
しかしながら、上記インジェクション成形されたカップ状の容器は、上記公報所載なる容器の如く、容器の胴部を押し潰しやすくするため、該胴部の外周面に複数の縦方向の凹部を設けたり、あるいは容器の胴部の補強を図るため、該胴部の外周面に多数の縦方向のリブを設ける場合があり、かかる場合、胴部の外周面に商品表示用の印刷を施すことは困難である。
【０００４】
また、上記容器は、底壁部を胴部から分離するために設けられた、例えばプルタブ等の破断手段が底壁部から露呈している構造であるため、購買者、消費者等が底壁部を蓋部と間違って不用意に開封するおそれがある。
【０００５】
そこで、本発明は上記従来の問題点に鑑みてなされたもので、美しい印刷表示を可能とすると共に、底壁部の誤開封を好適に防止することができる容器を提供することを課題とする。
【０００６】
【課題を解決するための手段】
本発明は、上記課題に鑑みてなされたもので、胴部４と底壁部８とを有するように有底筒状にインジェクション成形された容器本体３を備え、且つ、前記底壁部８を破断可能な破断手段９，１０が、該底壁部８に形成されてなる容器において、前記胴部４に、筒状のラベル１３が外嵌装着され、しかも、該ラベル１３の下端部が、少なくとも前記破断手段９，１０を隠すようにして底壁部８側に折り曲げられてなることを特徴とする。
【０００７】
ここで、「隠す」とは、破断手段９，１０を外から不用意に開封操作できなくするという意味であって、視覚的にも見えなくするという意味ではない。
【０００９】
従って、かかる容器によれば、破断手段９，１０がラベル１３に隠されるため、底壁部８の不用意な開封が防止されるばかりでなく、ラベル１３の表面もしく裏面に印刷層を設けた場合、胴部４の外周面が如何なる態様（例えば、凹凸があっても）であっても、美しい印刷表示を行なうことができる。
【００１０】
尚、廃棄に当たって、底壁部８を胴部４から破断することにより、胴部４の上端の口部は無論、下端側をも開口させることが可能となり、胴部４は全長にわたって偏平状に押しつぶし易くなる。ここで、底壁部８を破断するとは、底壁部８を全周にわたって破断して底壁部８を胴部４から完全に分離する場合と、底壁部８を胴部４に一部連結させた場合とを含む概念である。
【００１１】
また、破断手段９，１０として、底壁部８の全周にわたって形成された凹部９と、該凹部９よりも底壁部８の内側に設けられたプルタブ１０とからなる構成を採用することができ、かかる場合、ラベル１３が凹部９は勿論、プルタブ１０をも隠すことにより底壁部８の誤開封を防ぐことができる。
【００１２】
【発明の実施の形態】
以下、本発明の一実施形態について図１〜図４を参酌しつつ説明する。
【００１３】
本実施形態に係る容器１は、ポリプロピレン、ポリエチレン、ポリスチレン、ポリ塩化ビニル、ポリエステル、ポリカーボネート等のプラスチック材料から形成された耐熱性を有するカップ形の容器本体３を備え、容器本体３の周壁の外周面から底面にかけて、熱収縮性を有する筒状のラベル１３が外嵌装着されると共に、容器本体３の上端開口には、アルミ箔と合成樹脂フィルムや紙等のラミネート材等からなるシール蓋１６により剥離自在に密封されている。
【００１４】
前記容器本体３は、上述の合成樹脂材料をインジェクション成形した剛性を有する成形品で、断面円形で且つ下方にゆくにしたがって径の小さくなるテーパ形状の胴部４と、該同部４の下側開口端を閉塞する底壁部８とからなる上方が口部として開口する有底筒状を呈している。
【００１５】
そして、前記胴部４の外周面には、容器本体３の補強のための多数のリブ６，…が放射状に突設され、各リブ６は、胴部４の上下方向（縦方向）に連続して設けられている。また、胴部４の上部は、円筒状で且つ湾曲表面が凹凸のない平坦なリブの設けられていない部分（大径部）４ａとなっており、該大径部４ａに各リブ６の上端が接続され、各リブ６の外面と大径部４ａの外面とは面一となっている。
【００１６】
さらに、前記胴部４の下端には、環状の足部７が下方に向けて突設されており、前記各リブ６は、足部７の外周面にまで延長されている。そして、該足部７と底壁部８との境界となる底壁部８の周縁には、破断手段としての凹部（肉厚の薄くなった部分）９が全周にわたって形成されている。
【００１７】
また、前記底壁部８の外面で且つ前記凹部９の近傍には、破断手段としてのプルタブ１０が設けられ、該プルタブ１０は、摘み易いようにその内部に開口部１０ａが形成されている。尚、このプルタブ１０及び前記凹部９は、インジェクション成形時に同時に形成されるのが好ましいが、凹部９は、成形後に別工程により設けても良く、また、プルタブ１０は、底壁部８とは別体のものを該底壁部８に固着しても良い。
【００１８】
そして、前記プルタブ１０は、底壁部８側に折り曲げた形状に形成され、従って、容器本体３をテーブル等に立てた際に、プルタブ１０は足部７の内側に収納され、プルタブ１０が邪魔となることはなく、該プルタブ１０により容器本体３全体が持ち上がったり、傾斜したりするおそれはなく、容器本体３の使用に際してプルタブ１０が支障となることはない。
【００１９】
前記ラベル１３は、ポリエステル、ポリ塩化ビニル、ポリスチレン、ポリプロピレン、ポリエチレン等の厚さ２０〜８０μｍ程度に形成された公知のフィルムで、少なくとも一方向に所定の収縮率を以て熱収縮する性質を有する。そして、ラベル１３の内面には、該ラベル１３の熱収縮時の熱で活性化して接着性を発揮する感熱接着剤が塗布されており、ラベル１３の上部が感熱接着剤を介して容器本体３の大径部４ａの表面に接着されている。従って、容器本体３は、テーパ状に形成されているにもかかわらず、ラベル１３が容器本体３から下方にずれ落ちることはなく保持される。
【００２０】
また、前記ラベル１３は、その縦方向長さが胴部４の縦方向長さよりも長く形成されているため、その下端部は、熱収縮した結果、足部７の下端縁から内側に折り曲げられ、容器本体３の底面（底壁部８）の周縁部に沿って対面する。しかも、前記プルタブ１０は、底壁部８の周縁部とラベル１３の下端部とに介装され、ラベル１３の底折り曲げ部によって覆い隠される格好となるため、容器本体３にラベル１３が外嵌装着されている間は、該プルタブ１０に容易に接触することはできない。
【００２１】
また、前記ラベル１３には、その縦方向に沿ってミシン目１４が形成され、このミシン目１４に沿ってラベル１３を縦方向に破断することにより、容器本体３からラベル１３を剥がすことができる。この時、プルタブ１０は、表側に露呈され、これを摘むことができる。尚、ラベル１３の表面もしくは裏面には、印刷層（図示しない）が形成されており、ラベル１３によって美しい印刷表示が可能である。
【００２２】
本実施形態に係る容器１は、以上の構成からなる。かかる容器１は、前記合成樹脂をインジェクション成形したものであるため、剛性及び耐久性を有し、容器１の輸送等の取扱い時に内容物を十分に保護することが可能である。
【００２３】
そして、シール蓋１６を剥離して内容物を食用に供した後、容器１を廃棄する場合、まず、ラベル１３を容器本体３から剥がし、次に、プルタブ１０を摘んで引っ張ると、底壁部８の外周には、肉厚が薄くなった凹部９が形成されているため、該凹部９に沿って底壁部８は胴部４から破断される。
【００２４】
さらに、凹部９は全周にわたって破断されるため、底壁部８を胴部４から完全に分離することができる（図５参照）。この結果、胴部４はその上方及び下方の両側が開口された筒状となり、容易に偏平状に折り畳むことができ、嵩張らずにコンパクトになった状態で底壁部８と共に廃棄することが可能となる。
【００２５】
尚、本発明は上記実施の形態に限定されるものではなく、本発明の要旨を逸脱しない範囲での種々の変更が可能である。
【００２６】
例えば、ラベル１３の材質、厚みは特に限定されず、胴部４の外周面を完全に外嵌する形状である必要もない。これらは、用途、容器本体３の形状に応じて適宜変更可能である。従って、容器本体３の形状、大きさも限定されない。また、容器本体３に外嵌装着するものとしては、熱収縮性ラベル（シュリンクラベル）以外に、プラスチックフィルム等の合成樹脂、紙、合成紙等からなる公知の包装部材を採用することができる。尚、熱収縮性ラベル以外の包装部材を用いる場合には、下端部を絞って内側に折り曲げるようにしてもよい。
【００２７】
さらに、本発明は、上記実施形態の如く、胴部４の外周面に多数のリブ６，…を設けたもののみならず、胴部４の外周面及び／又は内周面に上下方向の凹部を設けて胴部４を折り畳みやすくしたもの、あるいはこれらを全く設けないものであってもよい。
【００２８】
また、ラベル等の包装部材の下端部は、熱収縮によって底壁部の略全面を覆い隠すように折れ曲がるものであってもよく、また、プルタブ１０の一部が視認可能に折れ曲がるものであってもよい。要は、プルタブ１０等の破断手段が不用意に開封操作されないようになっていれば、本発明の意図するところである。
【００２９】
従って、上記実施形態の如く、ラベル１３の下端部を隠蔽部材とする容器以外に、図６に示す容器も採用可能である。図６（イ）に示す容器は、足部７の内部に厚紙等のシート体１７を挿入し、かかる状態から、胴部４に外嵌装着したラベル１３の下端部を内側に折り曲げた構成である。シート体１７は、足部７の内径と略同一径を有する円盤状に形成されており、該シート体１７の周縁部がラベル１３の下端部に係止され、シート体１７の抜け防止がなされている。また、図６（ロ）に示す容器は、胴部４に外嵌装着したラベル１３の下端部を内側に折り曲げ、この部分に平面状のシート体１８の周縁部を貼着した構成である。これらの構成の場合、隠蔽部材は、シート体１７，１８となる。尚、該シート体１７，１８の中心部に穿孔１７ａ，１８ａを設けておけば、シール蓋と間違えることなく、誤開封を確実に防止することができる。
【００３０】
また、ラベル等の包装部材を容器本体３に固定する手段として、上記実施形態では、感熱接着剤を使用しているが、これに限定されるものではない。
【００３１】
さらに、破断手段は、プルタブ１０を設けず、凹部９のみを設けるようにしてもよい。かかる場合、凹部９を底壁部８の外面に設ければ、底壁部８を胴部４内に強く押し込むことより底壁部８を完全に胴部４から分離することができるが、これに限定されるわけではなく、凹部９を底壁部８の内面に設けることもできる。さらに、凹部９を底壁部８の全周にわたって設ける以外に、胴部４の折り畳みに支障とならない程度に胴部４と底壁部８との一部が繋がるような凹部９であってもよい。
【００３２】
また、破断手段の別の構成として、凹部９を底壁部８の全周もしくは円弧状に形成すると共に、底壁部８の外面で且つ凹部９の近傍に突起体を設け、該突起体部分を胴体４内に押し込むことにより底壁部８を胴部４から破断させるようにしてもよい。
【００３３】
さらに、胴部４の上端周縁にフランジ部を有する場合には、該フランジ部の折り畳み性を良くするため、フランジ部の外周面に切り欠きを形成しても良い。しかも、容器本体３（胴部４）の断面形状は、円形の他、矩形状や六角形状の多角形状または楕円形状等任意の形状のものが採用可能である。
【００３４】
また、ラベル１３やシール蓋１６に、「廃棄の際には、ラベル１３をミシン目１４に沿って破断し、プルタブ１０を引っ張って底壁部８を胴部４から分離させ、しかる後、胴部４を偏平状に折り畳む」旨の注意書きを注記すれば、誤開封のさらなる防止効果がある。
【００３５】
【発明の効果】
以上の如く、本発明に係る容器は、胴部と底壁部とを有するように有底筒状にインジェクション成形された容器本体を備え、且つ、前記底壁部を破断可能な破断手段が、該底壁部に形成されてなる容器において、前記胴部に、筒状のラベルを外嵌装着し、しかも、該ラベルの下端部を、少なくとも前記破断手段を隠すようにして底壁部側に折り曲げたため、底壁部の誤開封を好適に防止することができるばかりでなく、ラベルの表面もしく裏面に印刷層を設けた場合、胴部の外周面が如何なる態様であっても、美しい印刷表示を行なうことができる。
【図面の簡単な説明】
【図１】本発明の一実施形態に係る容器の斜視図を示す。
【図２】同実施形態の容器本体の半断面図を示す。
【図３】同実施形態の容器本体の底面図を示す。
【図４】同実施形態の容器本体の一部断面図を示す。
【図５】同実施形態の容器本体から底壁部を分離した状態の断面図を示す。
【図６】他実施形態の容器本体の要部断面図であって、（イ）は、ラベルの折り曲げ部の内側にシート体を備えた容器、（ロ）は、ラベルの折り曲げ部の外側にシート体を備えた容器を示す。
【符号の説明】
１…容器、３…容器本体、４…胴部、４ａ…大径部、６…リブ、７…足部、８…底壁部、９…凹部（破断手段）、１０…プルタブ（破断手段）、１０ａ…開口部、１３…ラベル、１４…ミシン目、１６…シール蓋
【図１】
0004441061.tif 000002
【図２】
0004441061.tif 000003
【図３】
0004441061.tif 000004
【図４】
0004441061.tif 000005
【図５】
0004441061.tif 000006
【図６】
0004441061.tif 000007